(57)【要約】【課題】太陽電池と照明器具を有する庇ユニットを、外側から取付け可能な取付手段で既成の建物へ取付けるにより、建物の壁へ窓孔をあけたり、あけた窓孔を補修したりする手間を掛けずに建物へ簡便に外付けして、夜間等は商用電源を使わず照明を行なうことができる太陽電池付きの後付け庇ユニットを提供すること。【解決手段】既成の建物４の要所へ外側よりの取付けが可能な取付手段３で後から取り付ける後付け庇ユニット１であって、この庇ユニット１における庇本体２は、屋根材５の上へ太陽電池６を取り付けられ、裏材７に照明器具８を取り付けられていて、内部には上記太陽電池６で発生した電力を蓄えるバッテリー１０と、上記照明器具８の作動を制御する制御器１１を内蔵していること。【選択図】図１
2006112135.tif 000002
【特許請求の範囲】
【請求項１】
既成の建物の要所へ外側よりの取付けが可能な取付手段で後から取り付ける後付け庇ユニットであって、
この庇ユニットにおける庇本体は、屋根材の上へ太陽電池を取り付けられ、裏材に照明器具を取り付けられていて、
内部には上記太陽電池で発生した電力を蓄えるバッテリーと、上記照明器具の作動を制御する制御器を内蔵していることを特徴とする太陽電池付き後付け庇ユニット。
【請求項２】
庇ユニットの裏材には人の接近を検知して上記制御器を作動させるセンサを取付けたことを特徴とする請求項１に記載の太陽電池付き後付け庇ユニット。
【発明の詳細な説明】
【技術分野】
【０００１】
本発明は、既成の建物へ後付けして、夜間等は商用電源を使わない照明ができる太陽電池付き後付け庇ユニットに関する。
【背景技術】
【０００２】
従来、照明器具付き庇は、庇本体の後板部に形成した開口部にプラグタイプの接続端子を設け、建物の庇取付部にコンセントタイプの接続端子を設けて、庇本体を建物の取付部へ取り付けると、プラグタイプの接続端子とコンセントタイプの接続端子が接合されて、庇本体内に設けた照明器具へ通電するようにしている。（例えば特許文献１参照）
【特許文献１】特開２０００−２７３５０号
【０００３】
しかしながら、上記照明器具付き庇は、庇本体の後板部を建物の庇取付部へ当てて置き、後板部と庇固定板とに貫設した孔へボルトを通して、このボルトへ建物の中側からナットを締め込んで庇本体の取付けを行なうのであり、庇を予め計画した位置へ取り付ける新築工事には好適であるが、既成の建物へ庇を取り付けたい場合には、建物の外壁に窓孔をあけて庇固定板を取り付け、内壁にはボルトへナットを締め込む窓孔をあけて、この窓孔を庇の取付後には補修しなければならない問題点がある。
【発明の開示】
【発明が解決しようとする課題】
【０００４】
本発明は、前記問題点を解消し、太陽電池と照明器具を備える庇ユニットを、外側から取付け可能な取付手段で既成の建物へ取付けることにより、建物の壁へ窓孔をあけたり、あけた窓孔を補修したりする手間を掛けずに建物へ簡便に外付けして、夜間等は商用電源を使わない照明を行なうことができる太陽電池付きの後付け庇ユニットを提供することをその課題とする。
【課題を解決するための手段】
【０００５】
前記課題を解決するため本発明に係る太陽電池付き後付け庇ユニットは、以下の構成を採用することを特徴とする。
【０００６】
既成の建物の要所へ外側よりの取付けが可能な取付手段で後から取り付ける後付け庇ユニットであって、この庇ユニットにおける庇本体は、屋根材の上へ太陽電池を取り付けられ、裏材に照明器具を取り付けられていて、内部には上記太陽電池で発生した電力を蓄えるバッテリーと、上記照明器具の作動を制御する制御器を内蔵していること。
【０００７】
庇ユニットの裏材には人の接近を検知して、上記制御器を作動させるセンサを取付けられることが好ましい。
【発明の効果】
【０００８】
請求項１の効果  外付け可能な取付手段を用いて庇ユニットを既成の建物の希望位置へ外付けするから、建物の壁に窓孔をあけたり、あけた窓孔を補修をしたりする煩わしさがなく簡便に庇ユニットの取付けを行なうことができて、しかも、搭載する太陽電池で日中は発電して電力をバッテリーに蓄え、夜になれば照明器具へ制御器により通電して点灯させ、明るくなれば通電を止めて消灯させることにより、商用電源を使わず合理的な照明を行なって省エネルギーと環境の保全を図れる。さらに、発光ダイオードを用いた照明器具を用いれば、省電力で照度等の制御も容易で一層効果がある。
【０００９】
請求項２の効果  人等の接近を検知するセンサは、暗くなって照明を必要とするとき、人の近接を検知すると照明器具の照度が上るように制御器を作動させて、照明を鍵による錠前の開錠、施錠が容易にできる明るさにするが、人が検知範囲から去れば経済的な常用照度に戻すことができる。また、防犯においても、抑止力がある。
【発明を実施するための最良の形態】
【００１０】
以下に本発明に係る太陽電池付き後付け庇ユニットの実施形態を図面について説明する。
【実施例１】
【００１１】
図１において符号１は、後付け庇ユニットを示すものであり、この庇ユニット１は、庇本体２を外側からの取付けが可能な取付手段３で既成の建物４の必要箇所へ取り付け、庇本体２における屋根材５の上には太陽電池６を取付け、裏材７には照明器具８とセンサ９を取付け、庇本体２の内部には太陽電池６で発生した電力を蓄えるバッテリー１０と、照明器具８の点滅、照度調整などを行うため、バッテリー１０から照明器具８への通電を制御する制御器１１とを設置した構成としてある。
【００１２】
上記庇本体２は、後側に取付部１２を有する複数の庇骨材１３を、図２に示す通り所要間隔で並設して、これら庇骨材１３の上片１３ａに屋根材５を取付け、下片１３ｂに裏材７を取付ける。こうすると、屋根材５と裏材７の前端側には隙間１４が、両側端側には隙間１５，１５が生じ、屋根材５の後側には庇骨材１３の取付部１２が屋根材５より上方へ突出するため隙間１６が生ずるので、前側の隙間１４を前カバー１７で塞ぎ、上側の隙間１６を上カバー１８で塞ぎ、両側の隙間１５，１５は側面キャップ１９，１９で塞ぐと図８に斜視図を示す通りの庇本体２が構成される。
【００１３】
上記庇本体２における庇骨材１３は、前下がりの傾斜を有する上片１３ａと、水平をなす下面１３ｂが、垂直の連結片１３ｃで連結された図３の円内に示す通りの断面形状であって、後部に取付部１２が付設された構造にアルミニウム鋳物等で形成する。そして、取付部１２の上部と下部には対応的に係止溝２０、２０を設け、前端には前カバー１７の当片１３ｄを設ける。
【００１４】
屋根材５は、例えば、図４（ａ）に示す通りカラー鋼板等を平板葺きにして庇骨材１３の上片１３ａへネジ２１で止め付ける構成とするか、あるいは、図４（ｂ）に示す通りカラー鋼板を曲げ加工するか、アルミニウムを押出し加工して、一端の下側に折返縁５ａを形成し、他端の上側に折返縁５ｂを形成して、これら折返縁５ａと折返縁５ｂを掛け合わせ、この掛け合わせ部を庇骨材１３の上片１３ａへネジ２１で止め付けた吊子２２に支持させる折板葺きの構成とするものであって、屋根材５の後端には止水片５ａを立ち上がらせ、屋根材５の下側には必要に応じて下葺材２３を施用する。
【００１５】
裏材７は、ボード等を用いてもよいが、アルミニウムの押出成形で形成した公知のスパンドレルを用いることが好ましい。このスパンドレル７は、図５（ａ）に示す平型、図５（ｂ）に示す角凹凸型、図５（ｃ）に示す波型等を用いるものであって、各タイプは一側縁側に係合鉤部７ａを形成され、他側縁側に係止溝部７ｂを形成されている。従って、図５（ａ）（ｂ）（ｃ）に示す通り、係止溝部７ａに鎖線で示す隣り合うスパンドレル７の係合鉤部７ｂを係合させて一連の裏材７を構成し、ネジ２４によって庇骨材１３の下片１３ｂへ止め付ける。
【００１６】
屋根材５と裏材７との前側に生ずる隙間１４を塞ぐ前カバー１７は、図７に示す通り上部を屋根材５の前縁に、下部を裏材７の前縁に支持させて、隙間１４を閉塞させるようにアルミニウムの押出成形等で形成したものであり、上端に後方への折曲縁１７ａを設けて
、この折曲縁１７ａを庇骨材１３の上片１３ａと屋根材５の下面との間に挟み込み、前カバー１７を図７に示す通りネジ２５で当片１３ｄへ止め着ける。
【００１７】
屋根材５の後部上側に生ずる隙間１６を塞ぐ上カバー１８は、図７に示す通り前側に取付部１２の前面と屋根材５の一部とに重なる逆Ｌ型の重ね片１８ａを付設した形状にアルミニウムの押出成形で形成したものであって、この上カバー１８を図７に示す通りネジ２６で取付部１２の上面へ取付けて隙間１６を閉塞させる。
【００１８】
屋根材５と裏材７との両側に生ずる隙間１６を塞ぐ側面キャップ１９は、上記屋根材５と裏材７と前カバー１７と上カバー１８で形成される庇本体２の外郭形状に適合する面板の周囲に、図２に示す通り庇本体２の外郭へ嵌り合う縁部１９ａが存在するようにアルミニウム鋳物等で形成する。そして、縁部１９ａを庇本体２の外郭へ嵌合して、縁部１９ａを図８に頭だけを示すネジ２７で屋根材５と裏材７へ止め付けると、庇本体２の両側の隙間１５が塞がれるとともに、側面キャップ１８で取付手段３の後記する係合鉤が挟まれるので、庇本体２を位置ずれをしないように建物４への取付けることができる。
【００１９】
建物４へ外側から庇本体２を取付け可能とする取付手段３は、庇本体２に合致する長さと庇本体２よりも少し高い高さを有する板体３ａの前面側に、図６に示す通り庇骨材１３の取付部１２に設けた係止溝２０，２０へ係合する係合鉤２８，２８を設け、上部に前側へ少し張出してから上方へ立上がる折曲部３ｂを有するようにアルミニウムの押出成形等で形成する。そして、この取付手段３を既成の建物４の必要な箇所へ図７に示す通り孔２９を通したアンカーボルト３０で固定して置き、その係合鉤２８，２８へ庇本体２の取付部１２に設けた係止溝２０，２０を係合させると、庇本体２は建物４へ外側から簡単確実に取付けられる。
【００２０】
庇本体２に於ける屋根材５の上に取付ける太陽電池６は、太陽光で発電する公知のもののであって、これを屋根材５の上へ乗せ、太陽電池６の両側を図８に示す通り屋根材５へネジ３１で固定した抑え金具３２で抑えさせ、前側は屋根材５へネジ３３で固定した受け金具３４に支持させて、太陽電池６を屋根材５の上へ安定して固定させる。
【００２１】
庇本体２の裏材７へ取付ける照明器具８は、通電すると発光して照明を行なうものであって、公知の白熱灯、蛍光灯、ハロゲン灯、発光ダイオード照明灯等を、必要な照度が得られるように１個または複数個を用いる。
【００２２】
庇本体２の内部へ収容するバッテリー１０は、上記太陽電池６が発電した電力を蓄積して、蓄積した電力を照明が必要なとき照明器具８へ供給する公知のものであり、図１に示す通り庇本体２の裏材７の上へ図示してないネジ等で止め付けて、庇本体２の内部に安定させて置く。
【００２３】
また、庇本体２の内部に収容する制御器１１は、上記バッテリー１０から照明器具８への電力の供給の開始及び停止と電力量の加減等を行ない、照明器具８の点滅や明るさ調整等の制御を行う公知のＩＣ制御器等を用いるものであって、図１に示す通り庇本体２の裏材７上へ図示してないネジ等で止め付けて、庇本体２の内部に安定させて置く。
【００２４】
庇本体２の裏側に取り付けられるセンサ９は、人等の接近を検知する機能を持つ公知のセンサを用い、図１に示す通り庇本体２の裏材７へ検知対象の人を検知し易いように取付けて置く。
【００２５】
なお、図１において符号３５は、建物４に設けた出入口を示し、この出入口３４は錠前（図面省略）付きのノブ３６を備えるドア３７によって開閉するようにしたものであり、
また、図７において符号３８は、防水用のコーキングを示し、このコーキング３８は、取付手段３の上部に設けた折曲部３ｂと建物４との間に生ずる隙間及び折曲部３ｂと上カバー１８との間に生ずる隙間へ充填して隙間の部分の防水を計る。
【００２６】
上記構成の太陽電池付きの後付け庇ユニット１は、図２に示す通り所定間隔で並置した複数の庇骨材１３の上片１３ａへ屋根材５を取付け、下片１３ｂへ裏材７を取付けた後、屋根材５と裏材７との前側の隙間１４を前カバー１７の取付けで塞ぎ、屋根材５の後部上側の隙間１６は上カバー１８の取付けで塞いで庇本体２の外郭を形成する。そして、外郭の一側端に側面キャップ１９を嵌合して、一方の隙間１５だけを塞ぎ、他方の隙間１５は開口した状態で、既成の建物４の希望位置へアンカーボルト２９で取付けられている取付手段３の係合鉤２８，２８へ、庇本体２を構成する庇骨材１３の取付部１２に設けた係止溝２０，２０を係合させる。すると、建物４へ外側から庇本体２が取付けられるので、その後、開口する庇本体２の隙間１５を側面キャップ１９の取付けで塞ぐと、庇ユニット１は既成の建物４の壁へ孔をあけたり、あけた孔を補修したりする煩わしさもなく、簡単にしかも確実に建物４へ外付けされる。
【００２７】
このように建物４へ外取付けされた庇本体２は、屋根材５の上へ太陽電池６が取付けられて、日照時に太陽光を受けて発電し、この電力をバッテリー１０へ蓄えるので、暗くなって照明を必要とするときは、ＩＣ制御器１１が作動して照明器具８へ通電し、照明器具８を点灯させて照明を行なう。しかし、明るくなって照明が不要となれば、ＩＣ制御器１１が照明器具８への通電を停止するように作動するため、照明器具８は消灯して照明を中止する。
【００２８】
また、暗くなって照明を必要とするとき、庇本体２に人が検知範囲内へ入ると検知動作を行うセンサ９を取付けておくと、検知範囲内へ人が入ればセンサ９が人を検知してＩＣ制御器１１を作動させ、照明器具８へ供給する電力を増し、照明器具８の照度をドア３７のノブ３６に装備された錠前の開錠及び施錠を行ない易い程度に上げる。しかし、人が検知範囲外へ去れば、センサ９がこれを検知し、ＩＣ制御器１１を供給電力が減ずるように作動させるため、照明器具８の照度を経済的な常用照度に戻るものである。
【産業上の利用可能性】
【００２９】
既成の建物へ庇ユニットを後から簡便に取り付けて、商用電源を使わず夜間等は照明を行なうのに利用できる。
【図面の簡単な説明】
【００３０】
【図１】太陽電池付き後付け庇ユニットを建物へ外付けした状態を示す断面図
【図２】庇ユニットを構成する各部材と庇本体の組立て要領を示す斜視図
【図３】庇本体に用いる庇骨材の構造を示す斜視図
【図４】（ａ）（ｂ）は屋根材の各タイプを示す一部分の断面図
【図５】（ａ）（ｂ）（ｃ）は庇本体の裏材に用いるスパンドレルの各タイプを示す側面図
【図６】庇本体を建物へ外部より取付を可能とする取付手段の斜視図
【図７】庇本体の構造を示す断面図
【図８】庇本体の外観を示す斜視図
【符号の説明】
【００３１】
１  後付け庇ユニット
２  庇本体
３  取付手段
４  既成の建物
５  屋根材
６  太陽電池
７  裏材
８  照明器具
９  センサ
１０  バッテリー
１１  制御器
【図１】
2006112135.tif 000003
【図２】
2006112135.tif 000004
【図３】
2006112135.tif 000005
【図４】
2006112135.tif 000006
【図５】
2006112135.tif 000007
【図６】
2006112135.tif 000008
【図７】
2006112135.tif 000009
【図８】
2006112135.tif 000010